(57)【特許請求の範囲】
【請求項１】
玉タンクから導入して主流玉列と副流玉列の複数段二列とした玉の流れを、上流側整列部において副流玉列が主流玉列より高くなるように底面を主流玉列側に向けて低く傾斜させて複数段一列に整列させ、下流側整列部において一段一列に整列させる玉整列レール装置に設けられるパチンコ機の払出玉不足検出装置において、
前記副流玉列の底面に細幅の長穴を設け、一端が軸支され他端が上向きに付勢された玉検出レバーを副流玉列の底面裏側に配置して、その上端を前記長穴から突出させて副流玉列によって押し下げ可能なものとするとともに、玉検出レバーの押し下げにより光ビームが遮断されて玉の存在を検出し、玉検出レバーの上昇により光ビームが透過して玉不足を検出する光電スイッチを、副流玉列の底面裏側に配置して、これらの玉検出レバーおよび光電スイッチを装置カバーで覆ったうえに
玉検出レバーには、前記長穴から侵入する塵埃を受け止めるための樋状部を設け、この樋状部の下方の前記装置カバーには、侵入した塵埃を排出するための塵埃排出穴を設けたことを特徴とするパチンコ機の払出玉不足検出装置。
【請求項２】
樋状部を、光電スイッチの投光側と受光側の上方を覆う長さとして、一端に向けて低く傾斜されたものとしたうえに、その低位側端部下方の装置カバーに塵埃排出穴を設けた請求項１に記載のパチンコ機の玉検出装置。
【請求項３】
玉整列レール装置の上流側整列部に中央隔壁を配置して、上流側整列部を中央隔壁を介して左右対称に二連式の構造とした請求項１又は２に記載のパチンコ機の払出玉不足検出装置。
【発明の詳細な説明】
【０００１】
【発明の属する技術分野】
本発明は、パチンコ機の玉整列レール装置における払出玉の不足を検出する装置に関するものである。
【０００２】
【従来の技術】
パチンコ機の玉タンクの下方には、玉整列レール装置と玉払出装置が配置されており、玉タンクから複数段二列で供給された玉の流れを、玉整列レール装置により一段一列に整列させて玉払出装置に供給している。ただし玉払出装置が二連式の場合には、当然に玉整列レール装置は二列に玉を整列させて玉払出装置に供給するため、本明細書においては単数列とは玉払出装置の一つの入口に対して玉を一列に供給する状態を意味するものである。
上記の玉整列レール装置は玉タンクから導入した複数段二列の玉の流れを、複数段一列に整列させる上流側整列部と、複数段一列の玉の流れを一段一列の玉列に整列させる下流側整列部とにより構成されるが、玉払出装置により要求された数の玉を安定して払出すために、玉整列レール装置には常に所定量の玉が切れることなく貯留されていることが必要である。
【０００３】
しかしながら、玉タンクの供給口に玉がブリッジを形成する等の何らかのトラブルにより玉整列レール装置への玉の供給が停止すると、玉不足を招いて払出しが不可能になるので、早めに玉不足を検出する必要がある。この玉不足を検出するため、従来は玉整列レール装置の下方にセンサーを取り付けていたが、玉整列レール装置の下方のスペースには入賞状態を表示したりする役物等に関連する装置が数多く配置されるので、このスペースは少しでも大きく広げた状態に確保することが必要である。しかしながら、従来は玉不足を検出するセンサーが大きく複雑な構造のものであって、玉整列レール装置の下方のスペースを侵略してスペースを狭いものにしていた。またセンサーの部品点数が多く組み立てに時間を要しコストアップの要因となっていた。
【０００４】
【発明が解決しようとする課題】
本発明は上記した従来の問題点を解決し、玉整列レール装置の下方のスペースを大きく確保するとともに、部品点数を減らして簡単に取り付けることのできるパチンコ機の払出し玉不足検出装置を提供するためになされたものである。
【０００５】
【課題を解決するための手段】
上記の課題を解決するためになされた本発明の払出玉不足検出装置は、玉タンクから導入して主流玉列と副流玉列の複数段二列とした玉の流れを、上流側整列部において副流玉列が主流玉列より高くなるように底面を主流玉列側に向けて低く傾斜させて複数段一列に整列させ、下流側整列部において一段一列に整列させる玉整列レール装置に設けられるパチンコ機の払出玉不足検出装置において、
前記副流玉列の底面に細幅の長穴を設け、一端が軸支され他端が上向きに付勢された玉検出レバーを副流玉列の底面裏側に配置して、その上端を前記長穴から突出させて副流玉列によって押し下げ可能なものとするとともに、玉検出レバーの押し下げにより光ビームが遮断されて玉の存在を検出し、玉検出レバーの上昇により光ビームが透過して玉不足を検出する光電スイッチを、副流玉列の底面裏側に配置して、これらの玉検出レバーおよび光電スイッチを装置カバーで覆ったうえに
玉検出レバーには、前記長穴から侵入する塵埃を受け止めるための樋状部を設け、この樋状部の下方の前記装置カバーには、侵入した塵埃を排出するための塵埃排出穴を設けたことを特徴とするものである。
【０００６】
上記した発明において、樋状部を、光電スイッチの投光側と受光側の上方を覆う長さとして、一端に向けて低く傾斜されたものとしたうえに、その低位側端部下方の装置カバーに塵埃排出穴を設けることができる。また、玉整列レール装置の上流側整列部に中央隔壁を配置して、上流側整列部を中央隔壁を介して左右対称に二連式の構造とすることができる。
【０００７】
本発明のパチンコ機の払出玉不足検出装置は、上流側整列部において主流玉列より高い位置に形成された副流玉列の裏側に取付けることにより取付け位置を従来より上方にして、玉整列レール装置の下方のスペースを大きく確保するとともに、部品点数を減らして簡単な構造で玉不足を検出することができる。
【０００８】
【発明の実施の形態】
以下に図面を参照しつつ本発明の好ましい実施形態を示す。
図１は本発明の払出玉不足検出装置を備えたパチンコ機の裏面を示す正面図であり、１は玉タンク、２はその下方に配置された玉整列レール装置、３は玉整列レール装置の下方に付設された本発明の払出玉不足検出装置、４は玉減速誘導通路、５は玉払出装置である。この例では玉払出装置５は賞玉と貸玉とをそれぞれ払出すことができるように二連式となっている。玉タンク１は端部の玉供給孔から玉を複数段二列の状態で下方の玉整列レール装置２に導入する。
【０００９】
この例では玉タンク１はセット板６に片持構造で支持されており、使用状態においては図示していない受け枠にクランプ機構７、７により固定できるようになっている。また、玉整列レール装置２は図面上の左端を玉タンク１から垂下する保持機構８により保持され、図面上の右端を玉減速誘導通路４に差し込むことによって支持されており、この玉整列レール装置は上流側整列部９と下流側整列部１７とにより構成されている。
【００１０】
図２〜図３は本発明の払出玉不足検出装置３を備えた玉整列レール装置２の上流側整列部９の平面図と垂直断面図であり、図４は図２のＡ−Ａ断面図である。上流側整列部９は二連式の玉払出装置５に対応させて中央隔壁１０を介して左右対称に形成され、払出玉不足検出装置３も左右にそれぞれ二連式に設けられているが、以下にその片側のみについて説明する。
【００１１】
上流側整列部９は、玉の入側においては主流玉列と副流玉列の二列の玉列を収容可能な幅員に形成されており外側に副流玉列の案内側壁１１が形成されている。１５は最下段の主流玉列を一線上に保持する溝状の案内手段で、主流玉列の底面１６は、図３に示すように下流へ向けて低く傾斜しているが、副流玉列の底面１２は下流側において主流玉列より高くなるように傾斜させるとともに、図４に示すように副流玉列が主流玉列より高くなるように主流玉列側に向けて低く傾斜させてある。このため、副流玉列の底面１２上の玉は下流側に移動するにつれて自然に主流側に流入し一列になるが、複数段のままであり、次の下流側整列部１７において一段一列にされて玉減速誘導通路４に流入する。
【００１２】
玉タンク１の玉供給孔に近い側の副流玉列の底面１２には主流玉列の流下する方向に平行に、すなわち案内手段１５に平行に細幅の長穴１４が設けられ玉検出レバー２５の上端が副流玉列の底面１２より突出できるものとしてある。
【００１３】
本発明の払出玉不足検出装置３は、図３〜図４に示すように副流玉列の底面の裏側に一端が支軸２１により支持され、他端がばね２２の反発力により跳ね上がり上端が長穴１４から突出することが可能で、下向きに突き出た光遮断片２４を有する玉検出レバー２５と、玉検出レバー２５の下方に配置されその位置を検出する検出装置２６とにより構成される。ここで検出装置２６は投光側と受光側とからなる光電スイッチであり、該光電スイッチはコネクター付きのスナップフィットタイプのもので玉整列レール装置２と一体に成形された検出装置係止片２９に差し込み式で取付けられている。
【００１４】
上流側整列部９の長穴１４上に玉が存在する時は検出レバー２５の上端が玉により押し下げられ、検出装置２６の投光側と受光側との間の間隙に光遮断片２４が降下して光ビームを遮ることにより、玉の存在が確認される。ここで、光遮断片２４は検出レバー２５に対し直角に設けられているが、光遮断片２４の設置角度は検出装置２６の取付け方向によって決まるものであり、投光側と受光側との間の間隙が玉検出レバーと平行である時は光遮断片２４は検出レバー２５に対し平行に設けることができる。
【００１５】
何らかの理由により玉タンク１からの玉の供給が停止されて長穴１４上において玉が不足した時は、図５〜図６に示すようにばね２２の反発力により玉検出レバー２５が跳ね上がって、玉検出レバー２５の上端が長穴１４から突出するとともに、光遮断片２４が検出装置２６の投光側と受光側との間の隙間より退却して光ビームを透過することによって、払出玉不足を検出することができる。
【００１６】
検出レバー２５の光遮断片２４の上部には、図３および図７に示すように検出装置２６の投光側と受光側を完全に覆う長さで、且つ底面がばね２２側に向けて低く傾斜された集塵用樋状部２８が設けられ、その傾斜終端部の装置カバー２７の下面には塵埃排出穴３１が設けられて、検出装置２６の投光側と受光側の間の隙間にゴミが入らぬようにするとともに、侵入した塵埃を排出できるような構造としてある。
【００１７】
払出玉不足検出装置３の取付けを簡単にし部品点数を削減するために、図８〜図９に示すように玉検出レバー２５を取り付ける支軸２１および装置カバー２７を取り付ける装置カバー係止片３０は、前記した検出装置係止片２９とともに玉整列レール装置２と一体に成形されている。
【００１８】
本発明のパチンコ機の払出玉不足検出装置は、上流側整列部において主流玉列より高い位置に形成された副流玉列の裏側に取付けることにより取付け位置を従来より上方にして、玉整列レール装置の下方のスペースを大きく確保するとともに、部品点数を減らして簡単な構造で玉不足を検出することができる。
【００１９】
【発明の効果】
以上に説明したように、本発明の払出玉不足検出装置は、底面位置が主流玉列より高い副流玉列の下側に付設したことにより玉整列レール装置の下方のスペースを広く取ることができる。検出装置として簡単で小さく取付けの容易なスナップタイプの光電スイッチを用いたことによりプリント基板を必要とせず装置の組み立てが簡単にできる。さらに取付け部品を玉整列レール装置と一体に成形したことにより部品点数を削減しコストの低減を図ることができる等の利点がある。
【図面の簡単な説明】
【図１】  本発明の払出玉不足検出装置を備えたパチンコ機の裏面を示す正面図である。
【図２】  本発明の払出玉不足検出装置を備えた上流側整列部の平面図である。
【図３】  玉が供給状態にある本発明の払出玉不足検出装置を説明する断面図である。
【図４】  玉が供給状態にある図２のＡ−Ａ断面図である
【図５】  玉が不足状態にある本発明の払出玉不足検出装置を説明する断面図である。
【図６】  玉が不足状態にある図２のＡ−Ａ断面図である。
【図７】  本発明の払出玉不足検出装置の部分水平断面図である。
【図８】  玉が不足状態にある図２のＢ−Ｂ断面図である。
【図９】  玉が不足状態にある図２のＣ−Ｃ断面図である。
【符号の説明】
１  玉タンク
２  玉整列レール装置
３  払出玉不足検出装置
４  玉減速誘導通路
５  玉払出装置
６  セット板
７  クランプ機構
８  保持機構
９  上流側整列部
１０  中央隔壁
１１  案内側壁
１２  副流玉列の底面
１４  長穴
１５  案内手段
１６  主流玉列の底面
１７  下流側整列部
２１  支軸
２２  ばね
２４  光遮断片
２５  玉検出レバー
２６  検出装置
２７  装置カバー
２８  集塵用樋状部
２９  検出装置係止片
３０  装置カバー係止片
３１  塵埃排出穴
【図１】
0004462698.tif 000002
【図２】
0004462698.tif 000003
【図３】
0004462698.tif 000004
【図４】
0004462698.tif 000005
【図５】
0004462698.tif 000006
【図６】
0004462698.tif 000007
【図７】
0004462698.tif 000008
【図８】
0004462698.tif 000009
【図９】
0004462698.tif 000010